(57)【特許請求の範囲】
【請求項１】
被写体を写真撮影し、撮影した画像をプリントする写真撮影プリント装置において、
互いに異なる背景を形成する分割された複数の背景領域と、
上記背景領域ごとに設けられた、被写体の背景となる背景面を構成する、互いに色または模様が異なる複数の背景部材と、
上記背景領域ごとに設けられた、少なくとも上記背景面を照明し、互いに異なる種類の光を発することができる照明装置と、
上記背景領域の境界に位置する、上記各照明装置からの光がその照明装置に対応する背景領域以外の領域に進入するのを遮るための仕切部材とを備え、
上記背景領域ごとに、上記照明装置により発する光の色または強度を選択するための照明選択入力を受け付け、
上記背景領域ごとに、上記複数の背景部材の色または模様のうちの１つを選択するための背景選択入力を受け付け、
上記照明選択入力および背景選択入力に基づいて、上記背景領域ごとに、上記照明装置により発する光の色または強度、および上記選択された色または模様の背景部材を設定することを特徴とする写真撮影プリント装置。
【請求項２】
請求項１に記載の写真撮影プリント装置において、
上記仕切部材は、位置が可変であることを特徴とする写真撮影プリント装置。
【請求項３】
請求項２に記載の写真撮影プリント装置において、
上記各照明装置は、上記仕切部材の位置の変更にともなって移動することを特徴とする写真撮影プリント装置。
【請求項４】
請求項１から３の何れか１項に記載の写真撮影プリント装置において、
上記各照明装置は、互いに異なる色の光を発することができることを特徴とする写真撮影プリント装置。
【請求項５】
請求項１から４の何れか１項に記載の写真撮影プリント装置において、
上記仕切部材および上記背景領域の境界は、位置が可変であることを特徴とする写真撮影プリント装置。
【請求項６】
請求項５に記載の写真撮影プリント装置において、
上記各照明装置は、上記仕切部材および上記背景領域の境界の位置の変更にともなって移動することを特徴とする写真撮影プリント装置。
【請求項７】
請求項６に記載の写真撮影プリント装置において、
上記背景面の各背景領域は、互いに異なる色を有していることを特徴とする写真撮影プリント装置。
【請求項８】
請求項７に記載の写真撮影プリント装置において、
上記各照明装置は、互いに異なる強度の光を発することができることを特徴とする写真撮影プリント装置。
【請求項９】
被写体を写真撮影し、撮影した画像をプリントする写真撮影プリント装置であって、互いに異なる背景を形成する分割された複数の背景領域と、上記背景領域ごとに設けられた、被写体の背景となる背景面を構成する、互いに色または模様が異なる複数の背景部材と、上記背景領域ごとに設けられた、少なくとも上記背景面を照明し、互いに異なる種類の光を発することができる照明装置と、上記背景領域の境界に位置する、上記各照明装置からの光がその照明装置に対応する背景領域以外の領域に進入するのを遮るための仕切部材とを備えた、写真撮影プリント装置の制御方法において、
上記背景領域ごとに、上記照明装置により発する光の色または強度を選択するための照明選択入力を受け付けるステップと、
上記背景領域ごとに、上記複数の背景部材の色または模様のうちの１つを選択するための背景選択入力を受け付けるステップと、
上記照明選択入力および背景選択入力に基づいて、上記背景領域ごとに、上記照明装置により発する光の色または強度、および上記選択された色または模様の背景部材を設定するステップとを含むことを特徴とする写真撮影プリント装置の制御方法。
【請求項１０】
請求項９に記載の写真撮影プリント装置の制御方法をコンピュータに実行させる写真撮影プリント装置制御プログラム。
【請求項１１】
請求項９に記載の写真撮影プリント装置の制御方法をコンピュータに実行させる写真撮影プリント装置制御プログラムを記録した記録媒体。
【発明の詳細な説明】
【０００１】
【発明の属する技術分野】
本発明は、例えばゲームセンタ等に設置され、利用者の顔や姿を写真撮影し、撮影した写真をプリントする写真撮影プリント装置、この写真撮影プリント装置の制御方法、写真撮影プリント装置制御プログラム、このプログラムを記録した記録媒体、およびプリント紙ユニットに関するものである。
【０００２】
【従来の技術】
近年、例えばプリント倶楽部（商標）の名称で知られる写真撮影プリント装置が人気を呼んでいる。この写真撮影プリント装置では、複数人で撮影することが多く、また、通常のポートレート写真とは異なり、利用者が変わったポーズをとったり、変な顔をしたりして撮影するなど、面白い写真をとることが主目的とされる。さらに、撮影した写真の画像をディスプレイに表示し、そのディスプレイ上でタッチペン等を利用して落書きしたり、予め用意された背景画像と合成したり、予め用意されたスタンプ画像と合成したりして、その結果をプリントすることもよく行われている。
【０００３】
このプリントのための記録媒体としてはシール状のものがよく用いられている（以下では、プリントされた記録媒体を「写真シール」と称することがある）。そして、利用者は、写真シールを友人と交換したりして楽しんでいる。
【０００４】
このような写真撮影プリント装置を利用する利用者は、他人とは違った個性的な写真シールを求めており、個性的な出力画像の得られる新しい機能をもった写真撮影プリント装置を望んでいる。しかし、写真撮影プリント装置は比較的狭いスペースに設置されることが多いため、装置の大きさは制限され、その限られた範囲の中に新しい機能を盛り込んでいく必要がある。
【０００５】
従来、例えば登録実用新案公報第３０４７９１０号には、被写体となる利用者の背景に異なる種類の複数のカーテンを重ねて設け、そのカーテンをめくっていくことで背景を変化させるものが開示されている。
【０００６】
【発明が解決しようとする課題】
しかし、上記公報に開示されたものでは、単に背景の絵や色が変化するだけであり、プリントされる画像に与える効果としては一般的なものであり、利用者の要望を十分に満たすものではなかった。したがって、プリントされる画像に対して、より意外性をもった効果を与えることができる写真撮影プリント装置が望まれている。
【０００７】
本発明は、このような課題に鑑みてなされたものであり、その目的は、プリントされる画像に対して、より意外性をもった効果を与えることができる写真撮影プリント装置、この写真撮影プリント装置の制御方法、写真撮影プリント装置制御プログラム、このプログラムを記録した記録媒体を提供することにある。
【０００８】
【課題を解決するための手段】
本発明に係る写真撮影プリント装置は、被写体を写真撮影し、撮影した画像をプリントする写真撮影プリント装置であって、上記の課題を解決するために、被写体の背景となる背景面を構成する背景部材と、少なくとも上記背景面を照明し、互いに異なる種類の光を発することができる複数の照明装置と、上記背景部材により構成される背景面上に位置し、上記各照明装置に対応して上記背景面を分割し、上記各照明装置からの光がその照明装置に対応する領域以外の領域に進入するのを遮るための仕切部材とを備えることを特徴としている。
【０００９】
上記の構成では、複数の照明装置によって互いに異なる種類の光（例えば、色や強度の異なる光）で背景面を照明することにより、撮影した画像において各照明装置によって照明された領域が互いに異なる背景（例えば、色や明るさの異なる背景）を形成するようになっている。このように、各領域において背景面を照明する光が異なっていることにより、撮影した画像において領域ごとに顕著に異なった背景を構成することができる。
【００１０】
ここで、別個の照明装置から発せられた光により背景面を照明すると、通常、それぞれ対応する領域の境界付近において各照明装置から発せられた光が重なり合ってしまう、あるいは完全に分離してしまうことになる。各照明装置から発せられた光が重なり合ってしまうと、撮影した画像における境界付近での背景の変化があいまいになってしまい、上記の効果を低減してしまうことになる。
【００１１】
そこで、上記の構成では、仕切部材を設けている。この仕切部材は、各照明装置からの光がその照明装置に対応する領域以外の領域（他の照明装置に対応する領域）に進入するのを遮る機能を有しており、これにより別個の照明装置からの光が背景面で重なり合うことを抑制することができる。したがって、境界付近での背景の変化を顕著なものとすることができるようになる。
【００１２】
なお、仕切部材は、照明装置からの光がその照明装置に対応する領域以外の領域に進入するのを完全に遮ることが望ましいが、部分的に遮るようになっていても効果は得られる。
【００１３】
このように、上記の構成では、領域ごとに異なる撮影環境を形成することができ、１つの画像でありながら領域ごとに全く異なる印象を与えるとともに、領域の境界での変化を顕著なものとした画像を形成することができるようになる。これにより、写真撮影プリント装置によって意外性をもった画像を形成することができるようになる。
【００１４】
本発明に係る写真撮影プリント装置は、上記の写真撮影プリント装置において、上記仕切部材が、位置が可変であることが好ましい。
【００１５】
上記の構成では、仕切部材の位置を変化させることによって撮影範囲内において各照明装置により照明される領域の分割割合を変更することができる。したがって、被写体に応じて（例えば、被写体が人物である場合にはその人数やポーズに応じて）領域を分割できるようになり、利用者の要望に応じた多様な画像を形成することができるようになる。
【００１６】
本発明に係る写真撮影プリント装置は、上記の写真撮影プリント装置において、上記各照明装置が、上記仕切部材の位置の変更にともなって移動することが好ましい。
【００１７】
上記の構成では、仕切部材の位置の変更によって領域の形状や配置が変化したときに、対応する照明装置が例えばその領域のほぼ中央を照明するように、照明装置を移動することができるようになる。これにより、仕切部材の位置を変更したときにより適した状態でその領域を照明することができるようになる。
【００１８】
なお、上記各照明装置は、例えば互いに異なる色の光を発することができるようになっている。
【００１９】
本発明に係る写真撮影プリント装置は、上記の写真撮影プリント装置において、上記背景部材が互いに異なる背景を形成する分割された複数の背景領域からなり、上記仕切部材が上記背景領域の境界に位置していることが好ましい。
【００２０】
上記の構成では、背景面を分割して複数の背景領域とし、各背景領域が互いに異なる背景（例えば、色や模様の異なる背景）を形成するようになっている。そして、背景領域の境界に仕切部材が設けられている。このように、各背景領域において、その背景面を照明する光に加えて背景面自体も異なっていることにより、撮影した画像において背景領域ごとにより顕著に異なった背景を構成することができる。
【００２１】
この場合も、背景領域の境界に仕切部材が設けられていることにより、別個の照明装置からの光が背景面で重なり合うことを抑制することができる。したがって、境界付近での画像の変化を顕著なものとすることができるようになる。
【００２２】
本発明に係る写真撮影プリント装置は、上記の写真撮影プリント装置において、上記仕切部材および上記背景領域の境界が、位置が可変であることが望ましい。
【００２３】
上記の構成では、仕切部材および背景領域の境界の位置を変化させることによって撮影範囲内において各照明装置により照明される背景領域の分割割合を変更することができる。したがって、被写体に応じて背景領域を分割できるようになり、利用者の要望に応じた多様な画像を形成することができるようになる。
【００２４】
本発明に係る写真撮影プリント装置は、上記の写真撮影プリント装置において、上記各照明装置が、上記仕切部材および上記背景領域の境界の位置の変更にともなって移動することが好ましい。
【００２５】
上記の構成では、仕切部材および背景領域の境界の位置の変更によって背景領域の形状や配置が変化したときに、対応する照明装置が例えばその背景領域のほぼ中央を照明するように、照明装置を移動することができるようになる。これにより、仕切部材および背景領域の境界の位置を変更したときにより適した状態でその領域を照明することができるようになる。
【００２６】
なお、背景面の各背景領域は、例えば互いに異なる色を有しているようになっている。また、各照明装置は、例えば互いに異なる強度の光を発することができるようになっている。
【００２７】
また、上記写真撮影プリント装置は、上記複数の照明装置により発する光の種類を選択するための照明選択入力を受け付けるステップと、上記照明選択入力に基づいて上記複数の照明装置により発する光の種類を設定するステップとを含む制御方法によって制御することができる。
【００２８】
あるいは、上記写真撮影プリント装置は、上記複数の照明装置により発する光の種類を選択するための照明選択入力を受け付けるステップと、上記複数の背景領域の背景を選択するための背景選択入力を受け付けるステップと、上記照明選択入力および背景選択入力に基づいて、上記複数の照明装置により発する光の種類、および上記複数の背景領域の背景を設定するステップとを含む制御方法によって制御することができる。
【００２９】
本発明に係る写真撮影プリント装置制御プログラムは、上記制御方法をコンピュータに実行させるものであり、また、本発明に係る記録媒体は、写真撮影プリント装置制御プログラムを記録したものである。
【００３０】
本発明に係るプリント紙ユニットは、画像が印刷されるプリント紙と、上記プリント紙に関する識別情報を記録する識別媒体とを備え、上記の写真撮影プリント装置に備えられた識別情報読み取り手段によって、上記識別媒体に記録されている識別情報が読み取られ、その内容が確認された上で上記プリント紙に画像が出力されることを特徴としている。これにより、写真撮影プリント装置に適合しないプリント紙ユニットが使用されることを避けることができる。
【００３１】
【発明の実施の形態】
本発明の実施の一形態について図１から図１５に基づいて説明すれば、以下の通りである。
【００３２】
図２は、背景を変化させることができる写真撮影プリント装置５０として考え得る一例の概略構成を示す図面であり、（ａ）は平面図、（ｂ）は（ａ）の矢印Ｙ方向に見た正面図である。この写真撮影プリント装置５０における背景装置５１は、コの字型のカーテンレール５２の両端から中央部分に向けて互いに異なる種類のカーテン５３ａ・５３ｂが設置されて構成されている。そして、カーテン５３ａとカーテン５３ｂとの境界がカーテンレール５２に沿って移動できるようになっている。この背景装置５１では、カーテン５３ａとカーテン５３ｂとの境界を移動させることにより、カーテン５３ａによる背景と、カーテン５３ｂによる背景との分割比率を変化させることができる。したがって、例えばカーテン５３ａの色とカーテン５３ｂの色とが異なっておれば、異なる２種類の背景色の分割比を変化させることができるようになる。
【００３３】
図３は、背景を変化させることができる写真撮影プリント装置６０として考え得る他の例の概略構成を示す図面であり、（ａ）は平面図、（ｂ）は斜視図である。この写真撮影プリント装置６０における背景装置６１は、複数のカーテンレール６２ａ・６２ｂ・６２ｃにそれぞれ互いに異なる種類のカーテン６３ａ・６３ｂ・６３ｃが設置されて構成されている。このカーテン６３ａ・６３ｂ・６３ｃは背景として重なり合って配置されており、最前面のカーテン６３ａを折り畳むと中間のカーテン６３ｂが現れ、この中間のカーテン６３ｂをも折り畳むと最背面のカーテン６３ｃが現れるようになる。これにより、図２の写真撮影プリント装置５０よりもさらに背景のバリエーションを増やすことができるようになる。
【００３４】
しかし、これらの背景装置５１・６１では単に背景の色や模様を分割して変化させることができるにとどまってしまう。
【００３５】
これに対して、図１の構成では、より意外性をもった画像を形成できる写真撮影が可能になる。図１は、本発明に係る写真撮影プリント装置１０の概略構成を示す図面であり、（ａ）は平面図、（ｂ）は斜視図である。以下、写真撮影プリント装置１０について説明する。写真撮影プリント装置１０は、背景装置１１および本体１２より構成されている。
【００３６】
まず、本体１２の構成について説明する。図４は、本体１２の構成をより詳細に示したブロック図である。本体１２は、写真撮影プリント装置１０の各部を制御するとともに画像処理を行う制御装置１、写真撮影のための撮影ユニット２、環境設定メニューや撮影した画像を表示するとともに環境設定や画像編集のための入力を受け付ける入出力ユニット３、画像をプリントするプリントユニット４等を備えている。
【００３７】
制御装置１は、写真撮影プリント装置１０の各部の動作を統括的に制御するものである。この制御装置１は、例えばＰＣベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置１がインターネットなどの通信ネットワークに接続された構成とする場合、この通信ネットワークを介して上記プログラムをダウンロードしてハードディスクなどにインストールして実行する形態なども考えられる。
【００３８】
記憶装置５は、上記したハードディスクなどの不揮発性の記憶装置によって構成されるものである。この記憶装置５に記憶される内容としては、上記した制御プログラム、ＯＳ(Operating System)プログラム、およびその他各種プログラム、撮影カメラにおける動作設定値、撮影環境の設定値、撮影した画像および編集した画像の画像データなどが挙げられる。上記の撮影カメラにおける動作設定値としては、装置出荷時やメンテナンス時などに設定されるホワイトバランスの値、撮影画像の明暗などを調整する際の画像処理に関する各種パラメータ値などが挙げられる。上記撮影環境の設定値としては、後述する背景の分割割合、分割された各背景を構成するカーテンの種類、分割された各背景を照明する光の種類等が含まれる。
【００３９】
課金処理部６は、利用者から徴収する課金に関する処理を行うブロックである。課金処理部６による課金状況に応じて、制御装置１が該当利用者に対する写真撮影プリント装置１０の動作を制御する。
【００４０】
プリントユニット４は、ＩＤタグリーダ／ライタ４ａ（識別情報読み取り手段）およびプリンタ４ｂを有しているとともに、このプリントユニット４に対して、プリントすべき画像の出力媒体となるプリント紙４ｃおよびＩＤタグ４ｄ（識別媒体）が１組となってセットされるようになっている。
【００４１】
プリンタ４ｂは、出力すべき画像データが制御装置１から送られてくると、その画像データに基づいてプリント紙４ｃにプリントするものである。このプリンタ４ｂとしては、例えば昇華型プリンタが用いられる。なお、昇華型プリンタを用いる場合には、プリント紙４ｃおよびＩＤタグ４ｄに加えて、昇華型用インクフィルムが１組となってセットされることになる。なお、プリント紙４ｃとしては、剥離紙をはがすことによりシールとして貼り付けられるシール状のものがよく用いられるが、シール状ではない通常の用紙であってもよい。
【００４２】
ＩＤタグリーダ／ライタ４ａは、ＩＤタグ４ｄに記録されている各種識別情報を読み出して制御装置１に出力する。ＩＤタグ４ｄは、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００４３】
制御装置１は、ＩＤタグリーダ／ライタ４ａで読み取った識別情報に基づいて、装着されたプリント紙４ｃおよびインクフィルムが、当該写真撮影プリント装置１０において利用可能なものであるかを判定し、利用可能である場合にのみプリンタ４ｂを動作可能とする。すなわち、写真撮影プリント装置１０において指定されているプリント紙４ｃおよびインクフィルム以外は使用できないように設定されていることになる。
【００４４】
また、ＩＤタグ４ｄに記録されている用紙枚数情報に基づいて、プリント紙４ｃを使用するごとに用紙枚数をカウントダウンしていくことによって、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。なお、用紙枚数をカウントダウンする際には、ＩＤタグ４ｄに記録されている用紙枚数情報も書き換えるようにする。これにより、用紙を使い切った場合には、ＩＤタグ４ｄに記録されている用紙枚数情報も０となり、このＩＤタグ４ｄを無効にすることが可能となる。
【００４５】
ＩＤタグ４ｄとしては、無線によりデータ通信を行うことが可能な非接触型ＩＤタグと、端子が設けられた接触型ＩＤタグとがあり、ＩＤタグリーダ／ライタ４ａとしては、これらのどちらか一方あるいは両方に対応したものとなる。
【００４６】
なお、上記の例では、ＩＤタグを利用して利用可能なプリント紙であるか否かを確認するようになっているが、これに限定するものではなく、例えば、プリント紙およびインクフィルムを梱包する梱包材などにプリントされているバーコードなどを利用して確認するような構成としてもよい。しかしながら、バーコードを用いる場合には、含めることのできる情報量が少ないことや、例えば用紙枚数のカウントダウンによる情報の書き換えができない、などの問題がある。
【００４７】
撮影ユニット２には、撮影カメラ２ａ、表示モニタ２ｂ、および操作ボタン１３が設けられている。
【００４８】
撮影カメラ２ａは、例えばレンズ群、絞り、ＣＣＤ(Charge Coupled Device)撮像素子などを備えたデジタルカメラによって構成される。この撮影カメラ２ａは、全身撮影とアップ撮影との両方に対応できるように、例えば使用するレンズ群および絞りを切り替えられるような構成となっていてもよい。
【００４９】
表示モニタ２ｂは、撮影処理における各種操作内容の表示や、撮影時の撮影画面表示などに用いられるモニタである。この表示モニタ２ｂは、例えば液晶表示素子などのフラットパネルディスプレイや、小型のＣＲＴ(Cathode Ray Tube)などによって構成される。
【００５０】
操作ボタン２ｃは、後述する撮影環境の設定、その他、表示モニタ２ｂに表示される操作内容に応じて設定等を行う際に用いたりするボタンである。操作ボタン２ｃには、撮影を指示するためのシャッタボタンも含まれている。
【００５１】
入出力ユニット３は、編集表示パネル３ａおよびタッチペン３ｂを備えた構成となっている。
【００５２】
編集表示パネル３ａは、撮影した画像に「落書き」するなどの編集処理（落書き処理）を行うためのものであり、この落書き処理時に編集対象の画像の表示や各種編集ツールの選択表示などを行うものである。この編集表示パネル３ａは、例えば液晶表示素子などのフラットパネルディスプレイやＣＲＴなどによって構成されるとともに、その表面にタッチパネルが設けられている。
【００５３】
タッチペン３ｂは、編集表示パネル３ａにおけるタッチパネルを利用して、落書きなどの画像描画や、表示されている各種編集ツール、操作ボタンなどの選択を行うためのペンである。
【００５４】
なお、制御装置１は、カーテン制御部１ａおよび照明制御部１ｂを含んでいる。カーテン制御部１ａは、背景装置１１に設けられたカーテン移動装置２１を制御することにより撮影環境を設定するためのものである。また、照明制御部１ｂは、被写体照明装置２２および背景照明装置２３（照明装置）を制御することにより撮影環境を設定するためのものである。
【００５５】
カーテン移動装置２１は、背景装置１１に設けられており、後述する背景装置１１のカーテン等を移動することにより背景を変化させるためのものである。
【００５６】
被写体照明装置２２は、本体１２に設けられており、撮影時に主に被写体を照明するフラッシュとして機能するとともに、通常時の照明として機能するものである。背景照明装置２３ａ・２３ｂは、背景装置１１に設けられており、後述する背景装置１１のカーテンを照明することにより背景の状態を変化させるためのものである。
【００５７】
図１に戻って、背景装置１１に関して説明する。背景装置１１は、写真撮影プリント装置１０による撮影の際に、被写体位置Ｓに位置する被写体の背景を構成するための装置である。そのため、背景装置１１には、撮影カメラ２ａによる撮影範囲Ｃにおける被写体位置Ｓの撮影ユニット２からみた後方を覆うように配置されたカーテン３１ａ・３１ｂ、およびこのカーテン３１ａ・３１ｂを支持するためのカーテンレール３２ａ・３２ｂが設けられている。このように、カーテン３１ａ・３１ｂ（背景部材）は被写体の背景となる背景面を構成している。なお、ここでは背景部材としてのカーテン３１ａ・３１ｂをカーテンレール３２ａ・３２ｂによって支持する構成について説明しているが、他の構成（例えばスクリーン）によって背景部材を実現してもよい。
【００５８】
ここで、撮影範囲Ｃ内の背景は、カーテン３１ａ・３１ｂによって２つ領域（第１および第２領域Ａ・Ｂ）に分割されており、それぞれ異なった背景を形成できるようになっている。なお、ここでは分割数が２の場合について説明するが、これに限らず分割数が３以上であってもよい。また、ここでは横方向に分割されている場合について説明するが、縦や斜め方向に分割されていてもよい。
【００５９】
第１および第２領域Ａ・Ｂにそれぞれ別個のカーテン３１ａ・３１ｂを設置できるように、カーテンレール３２ａ・３２ｂも別個に設けられている。第１および第２領域Ａ・Ｂは、撮影カメラ２ａに対してほぼ線対称になるように配置されている（なお、後述するように領域の分割位置が変更された場合は、対称性が崩れることもある）。
【００６０】
このカーテンレール３２ａ・３２ｂは、それぞれ背面部３２ａ1・３２ｂ1、側面部３２ａ2・３２ｂ2、仕切部３２ａ3・３２ｂ3からなっている。第１および第２領域Ａ・Ｂは線対称の関係にあるので、ここでは第１領域Ａに関してのみ説明する。背面部３２ａ1は、カーテン３１ａを撮影カメラ２ａと対向するように配置するための部分であり、撮影カメラ２ａの中心線に対してほぼ直交する方向に延在している。側面部３２ａ2は、撮影範囲Ｃの外側を覆うようにカーテン３１ａを配置するために、背面部３２ａ1から本体１２側に折れ曲がって延在している。仕切部３２ａ3は、第１および第２領域Ａ・Ｂの境界部分において背面部３２ａ1から本体１２側に折れ曲がって延在している。なお、仕切部３２ａ3は、被写体位置Ｓに侵入しない程度の長さを有している。
【００６１】
このようにカーテンレール３２ａ・３２ｂを配置しておくことにより、カーテン３１ａ・３１ｂによってそれぞれ第１および第２領域Ａ・Ｂを囲い込むような状態にすることができる。これにより、後述するように第１および第２領域Ａ・Ｂそれぞれに対応して設けられた背景照明装置２３ａ・２３ｂからの光がそれぞれの領域外に漏れることを抑制することができる。
【００６２】
また、カーテンレール３２ａ・３２ｂは背面部３２ａ1・３２ｂ1がその長手方向（矢印Ｘ方向）に伸縮できるようになっており、この伸縮にともなって仕切部３２ａ3・３２ｂ3がＸ方向に移動できるようになっている。これにより、背景における第１および第２領域Ａ・Ｂの分割割合が変更できるようになっている。なお、写真撮影プリント装置１０は、第１および第２領域Ａ・Ｂの分割割合が変更できる方が望ましいが、変更できなくてもよい。
【００６３】
この背面部３２ａ1・３２ｂ1の伸縮動作は、制御装置１の制御のもとで自動的に行われてもよく、利用者によって手動で行われてもよい。手動の場合は、カーテン制御部１ａやカーテン移動装置２１は不要となる。自動の場合、カーテン制御部１ａにより制御されるカーテン移動装置２１がカーテンレール３２ａ・３２ｂに取り付けられることになる。
【００６４】
図５は、カーテン移動装置２１の具体的構成を示す図であり、（ａ）は正面図（本体１２側からみた図）、（ｂ）は側面図である。カーテン移動装置２１は、カーテンレール３２ａ・３２ｂの伸縮部分に設けられたラック２１ａ、このラック２１ａに歯合するピニオン２１ｂ、このピニオン２１ｂを回転駆動するためのモータ２１ｃを備えている。このモータ２１ｃは伸縮動作によって移動しない部材に固定されており、このモータ２１ｃを回転させることにより背面部３２ａ1・３２ｂ1を伸縮させて仕切部３２ａ3・３２ｂ3を移動させることができる。
【００６５】
カーテン３１ａ・３１ｂは同一のものであってもよいが、互いに種類の異なるものであってもよい。種類の異なっている場合には、第１および第２領域Ａ・Ｂにおいてカーテン３１ａ・３１ｂにより互いに異なる背景を形成することができる。
【００６６】
なお、カーテン３１ａ・３１ｂは、それぞれ複数種類のカーテンの集合であってもよい。つまり、複数種類のカーテンが多重に配置されていてもよい。この場合、同一領域においても複数種類のカーテンの中から好みの背景を形成するカーテンを選択することができる。この多重に配置されたカーテンの選択も、制御装置１の制御のもとに自動で行われてもよく、利用者によって手動で行われてもよい。
【００６７】
カーテンの種類としては、例えば互いに色が異なっているもの、互いに模様が異なっているもの、互いに反射率が異なっているものなどが考えられる。
【００６８】
図１に戻って、さらに背景装置１１に関して説明する。背景装置１１は、背景照明装置２３を備えている。背景照明装置２３は、第１および第２領域Ａ・Ｂのカーテン３１ａ・３１ｂをそれぞれ別個に照明するものである。背景照明装置２３としては、第１および第２領域Ａ・Ｂそれぞれの中央上方からカーテン３１ａ・３１ｂを照明する主照明装置２３ａ1・２３ｂ1、それぞれの側面部３２ａ2・３２ｂ2側上方からカーテン３１ａ・３１ｂを照明する側面側副照明装置２３ａ2・２３ｂ2、それぞれの仕切部３２ａ3・３２ｂ3側上方からカーテン３１ａ・３１ｂを照明する仕切部側副照明装置２３ａ3・２３ｂ3が設けられている。なお、これらの数や配置は上記に限るものではなく、例えば主照明装置２３ａ1・２３ｂ1のみを設けてもよく、また、それぞれが下方から照明するものであってもよい。以下では、第１領域側に対応して設けられている主照明装置２３ａ1、側面側副照明装置２３ａ2、仕切部側副照明装置２３ａ3を第１背景照明装置２３ａ、第２領域側に対応して設けられている主照明装置２３ｂ1、側面側副照明装置２３ｂ2、仕切部側副照明装置２３ｂ3を第２背景照明装置２３ｂとそれぞれ総称する。
【００６９】
第１および第２背景照明装置２３ａ・２３ｂは、それぞれ少なくともカーテン３１ａ・３１ｂを照明し、互いに異なる種類の光を発することができるものである。ここで、「少なくともカーテン３１ａ・３１ｂを照明する」とは、例えば被写体をも照明してもよいことを意味する。また、光の種類には、例えば光の色や、光の強度等を含む。光の色は、第１および第２背景照明装置２３ａ・２３ｂにカラーフィルタを設けることによって変化させることができる。これにより、第１および第２領域Ａ・Ｂそれぞれのカーテン３１ａ・３１ｂに対して互いに異なる照明効果を与えることができるようになる。
【００７０】
なお、主照明装置２３ａ1・２３ｂ1、および仕切部側副照明装置２３ａ3・２３ｂ3は、仕切部３２ａ3・３２ｂ3の移動にともなって移動する。これにより、第１および第２領域Ａ・Ｂの分割割合が変更されたときでも、主照明装置２３ａ1・２３ｂ1は常に第１および第２領域Ａ・Ｂの中央から、仕切部側副照明装置２３ａ3・２３ｂ3は常に仕切部３２ａ3・３２ｂ3から照明するようになり、仕切部３２ａ3・３２ｂ3が中央に位置しているときと同じような状態での照明が可能になる。
【００７１】
ただし、図６に示すように、照明装置が固定されていてもよい。図６は、照明装置が固定されている場合の照明装置と第１および第２領域Ａ・Ｂとの関係を示す概念図であり、（ａ）は第１領域Ａ：第２領域Ｂ＝１：１に分割されている場合を示す図面、（ｂ）は第１領域Ａ：第２領域Ｂ＝１：３に分割されている場合を示す図面である。この図では、照明装置としての上方照明装置４０ａ1〜４０ａ4、および下方照明装置４０ｂ1〜４０ｂ4が設けられている場合を示している。
【００７２】
図６（ａ）の場合は第１領域Ａに対応する照明装置が上方照明装置４０ａ1・４０ａ2、および下方照明装置４０ｂ1・４０ｂ2であり、第２領域Ｂに対応する照明装置が上方照明装置４０ａ3・４０ａ4、および下方照明装置４０ｂ3・４０ｂ4であるのに対し、図６（ｂ）の場合は第１領域Ａに対応する照明装置が上方照明装置４０ａ1〜４０ａ3、および下方照明装置４０ｂ1〜４０ｂ3であり、第２領域Ｂに対応する照明装置が上方照明装置４０ａ4、および下方照明装置４０ｂ4である。このように、分割割合によって領域と照明装置との対応関係が変化することになってもよい。
【００７３】
このような背景装置１１を用いて撮影を行ったときに得られる画像について説明する。
図７は、被写体として１人の利用者を撮影したときの画像を説明するための図面である。ここでは、第１領域Ａの背景が相対的に反射率の高い色（例えば白色）でありその背景を照明する光の強度が相対的に大きく、第２領域Ｂの背景が相対的に反射率の低い色（例えば黒色）でありその背景を照明する光の強度が相対的に小さい場合を示している。また、利用者が第１および第２領域Ａ・Ｂの境界位置に立っている場合を示している。
【００７４】
このとき、第１領域Ａでは背景によって反射した光が逆光となるため、第１領域Ａ内の被写体の輪郭をぼやけた状態にすることができる。一方、第２領域Ｂでは背景による反射光が発生しにくい条件になっているため、輪郭が強調された状態になる。このように、１つの画像でありながら第１および第２領域Ａ・Ｂで全く異なる印象を与える画像を形成することができる。
【００７５】
ここで、背景装置１１では、カーテンレール３２ａ・３２ｂの仕切部３２ａ3・３２ｂ3の下に位置するカーテン３１ａ・３１ｂによって第１および第２領域Ａ・Ｂが分割されている（図１参照）。このように、第１および第２領域Ａ・Ｂを分割しているカーテン３１ａ・３１ｂの部分、つまりカーテンレール３２ａ・３２ｂの仕切部３２ａ3・３２ｂ3の下に位置するカーテン３１ａ・３１ｂの部分は仕切部材を構成している。
【００７６】
この仕切部材によって、第１領域Ａに対応する第１背景照明装置２３ａからの光が第２領域Ｂへ漏れることを抑制することができる。同様に、第２領域Ｂに対応する第２背景照明装置２３ｂからの光が第１領域Ａへ漏れることを抑制することもできる。これにより、第１および第２領域Ａ・Ｂの境界において、それぞれの領域を照明している光が重なり合うことを抑制することができる。したがって、境界において領域ごとに顕著に異なった背景を有する意外性をもった画像を構成することができるようになる。
【００７７】
なお、仕切部材は、第１および第２背景照明装置２３ａ・２３ｂからの光がそれぞれに対応する第１および第２領域Ａ・Ｂ以外の領域に進入するのを完全に遮ることが望ましいが、部分的に遮るようになっていても効果は得られる。
【００７８】
ここでは第１領域Ａの背景を照明する光と、第２領域Ｂの背景を照明する光とが、互いに強度が異なる場合について説明したが、これに限らず、色が異なる場合であってもよい。例えば、利用者の衣服の色が青色である場合に、第１領域Ａの背景を赤色として色のコントラストを強調するとともに、第２領域Ｂの背景を青色として色のコントラストを低減するようにもでき、第１領域では利用者の輪郭が強調され、第２領域では利用者の輪郭が曖昧になるような画像を構成することもできる。この場合も、単に背景面を構成するカーテンの色を異ならせるだけの場合（例えば図２または図３の場合）より、それぞれのカーテンの色を際だたせるような色の光を用いて背景を照明することで、コントラストの差異をより強調することができる。
【００７９】
また、図８は、被写体として３人の利用者を撮影したときの画像を説明するための図面である。このように、利用者がそれぞれの領域に分かれて立つようにする場合には、人数に応じて分割割合を変化させることができる。
【００８０】
以上のように、写真撮影プリント装置１０は、被写体を写真撮影し、撮影した画像をプリントするものであって、次のような特徴を有している。すなわち、写真撮影プリント装置１０は、被写体の背景となる背景面を構成する背景部材（カーテン３１ａ・３１ｂ）と、少なくとも上記背景面を照明し、互いに異なる種類の光を発することができる複数の照明装置（第１および第２背景照明装置２３ａ・２３ｂ）と、上記背景部材により構成される背景面上に位置し、上記各照明装置に対応して上記背景面を分割し、上記各照明装置からの光がその照明装置に対応する領域以外の領域に進入するのを遮るための仕切部材（カーテンレール３２ａ・３２ｂの仕切部３２ａ3・３２ｂ3の下に位置するカーテン３１ａ・３１ｂの部分）を備えている。なお、仕切部材は背景面に接していることを要しない。
【００８１】
この写真撮影プリント装置１０では、複数の照明装置によって互いに異なる種類の光（例えば、色や強度の異なる光）で背景面を照明することにより、撮影した画像において各照明装置によって照明された領域が互いに異なる背景（例えば、色や明るさの異なる背景）を形成するようになっている。このように、各領域において背景面を照明する光が異なっていることにより、撮影した画像において領域ごとに顕著に異なった背景を構成することができる。
【００８２】
また、写真撮影プリント装置１０は、仕切部材を設けている。この仕切部材は、各照明装置からの光がその照明装置に対応する領域以外の領域に進入するのを遮る機能を有しており、これにより別個の照明装置からの光が背景面で重なり合うことを抑制することができる。したがって、境界付近での背景の変化を顕著なものとすることができるようになる。
【００８３】
このように、写真撮影プリント装置１０では、領域ごとに異なる撮影環境を形成することができ、１つの画像でありながら領域ごとに全く異なる印象を与えるとともに、領域の境界での変化を顕著なものとした画像を形成することができるようになる。これにより、意外性をもった画像を形成することができるようになる。
【００８４】
なお、上記の写真撮影プリント装置１０は、さらに、背景部材が互いに異なる背景を形成する分割された複数の背景領域からなり、仕切部材が背景領域の境界に位置していることを特徴としている。ここでは、この複数の背景領域は、それぞれ第１および第２領域Ａ・Ｂに対応しており、それぞれカーテン３１ａ・３１ｂによって構成される。
【００８５】
このように、写真撮影プリント装置１０では、背景面を照明する光に加えて、背景部材における各背景領域が互いに異なる背景（例えば、色や模様の異なる背景）を形成するようになっていることにより、撮影した画像において背景領域ごとにより顕著に異なった背景を構成することができる。
【００８６】
この場合も、背景領域の境界に仕切部材が設けられていることにより、別個の照明装置からの光が背景面で重なり合うことを抑制することができる。したがって、境界付近での画像の変化を顕著なものとすることができるようになる。
【００８７】
なお、上記では背景部材が互いに異なる背景を形成する分割された複数の背景領域からなる場合、つまり、カーテン３１ａ・３１ｂによっても第１および第２領域Ａ・Ｂが分割されている場合について説明したが、カーテンを共通にしてもよい。
【００８８】
図９は、カーテン３１およびカーテンレール３２を共通にした写真撮影プリント装置１０’の概略構成を示す図面であり、（ａ）は平面図、（ｂ）は斜視図である。なお、図１の写真撮影プリント装置１０と同等の機能を有する部材に関しては、同一符号を付記し、その説明を省略する。
【００８９】
この写真撮影プリント装置１０’では、仕切部材４１によって第１および第２領域Ａ・Ｂが分割されており、第１および第２領域Ａ・Ｂにそれぞれ対応して第１および第２背景照明装置２３ａ・２３ｂが設けられている。この場合、カーテン３１が共通であることから、第１および第２背景照明装置２３ａ・２３ｂそれぞれからの光によって背景を異なったものにすることになる。例えば、第１および第２背景照明装置２３ａ・２３ｂから互いに異なる色や強度の光でカーテン３１を照明することで、第１および第２領域Ａ・Ｂでの背景の色や明るさを異なったものにすることができる。この場合、カーテン３１の色は、照明される光の色を反映しやすい色、例えば白色であることが好ましい。
【００９０】
このように、照明効果によって背景を異ならせることによっても、単に背景面を構成するカーテンの色を異ならせるだけの場合（例えば図２または図３の場合）より、背景の差異が顕著になり、より意外性をもった画像を形成することができるようになる。
【００９１】
次に、図４および図１０から図１３に基づいて、写真撮影プリント装置１０における処理の流れについて説明する。図１０は全体的な処理の流れを示すフローチャート、図１１は図１０における撮影処理の流れを示すフローチャート、図１２は図１１におけるカーテン環境設定処理の流れを示すフローチャート、図１３は図１１における照明環境設定処理の流れを示すフローチャートである。
【００９２】
利用者によってコインが投入されると（Ｓ１）、課金処理部６によって課金が確認される。適正な金額が投入されていると、撮影処理Ｓ２が行われ、撮影した画像に対して利用者により入出力ユニット３を用いて落書き処理Ｓ３が行われ、落書き処理Ｓ３された画像が印刷処理Ｓ４されてプリント紙４ｃにプリントされて利用者に提供される。ここでは撮影処理Ｓ２についてさらに詳細に説明する。
【００９３】
図１１に示すように、撮影処理Ｓ２では、表示モニタ２ｂに環境設定選択画面を表示し（Ｓ１１）、カーテン環境を設定するか否か、および照明環境を設定するか否か、を順次利用者に選択させる。利用者がカーテン環境を設定することを選択すると（Ｓ１２）、カーテン環境設定処理Ｓ１３を行う。また、利用者が照明環境を設定することを選択すると（Ｓ１４）、照明環境設定処理Ｓ１５を行う。なお、カーテン環境や照明環境を設定しないことを利用者が選択した場合には、デフォルトの設定を用いる。このようにして決定された環境を被写体照明装置２２や背景装置１１によって再現して撮影ユニット２により撮影を行う（Ｓ１６）。
【００９４】
図１２に示すように、カーテン環境設定処理Ｓ１３では、左右分割指定画面を表示し（Ｓ２１）、利用者が分割指定することを選択した場合には（Ｓ２２）、分割比率設定画面を表示し（Ｓ２３）、分割比率が入力されると（Ｓ２４）、指定された割合に応じて仕切部材の位置を決定する（Ｓ２５）。続いて、カーテンの色設定画面を表意し（Ｓ２６）、カーテン色の設定を行う。このとき、左右分割指定されているか否かにより場合分けする（Ｓ２７）。左右分割指定されている場合は、左側カーテンの色設定画面を表示し（Ｓ２８）、左側カーテンの色が入力されると（Ｓ２９）、続いて右側カーテンの色設定画面を表示し（Ｓ３０）、右側カーテンの色が入力されると（Ｓ３１）、実際の背景を設定されたカーテンにする（Ｓ３２）。一方、左右分割指定されていない場合、利用者がカーテンの色指定をするときは（Ｓ３３）、全体の色設定画面を表示し（Ｓ３４）、全体の色が入力されると（Ｓ３５）、実際の背景を設定されたカーテンにする（Ｓ３２）。なお、利用者がカーテンの色指定をしないときは（Ｓ３３）、デフォルトで設定されているカーテンを用いる。
【００９５】
なお、ここでいう「左」が第１領域Ａに相当し、「右」が第２領域Ｂに相当している。
【００９６】
図１３に示すように、照明環境設定処理Ｓ１５では、左右分割指定画面を表示し（Ｓ４１）、利用者が分割指定することを選択した場合には（Ｓ４２）、分割比率設定画面を表示し（Ｓ４３）、分割比率が入力されると（Ｓ４４）、指定された割合に応じて仕切部材の位置を決定する（Ｓ４５）。なお、カーテン環境設定処理Ｓ１３において仕切部材の位置がすでに決定されている場合はＳ４３からＳ４５は省略される。続いて、照明の設定画面を表意し（Ｓ４６）、照明の設定（色や強度）を行う。このとき、左右分割指定されているか否かにより場合分けする（Ｓ４７）。左右分割指定されている場合は、左側照明の設定画面を表示し（Ｓ４８）、左側照明の設定が入力されると（Ｓ４９）、続いて右側照明の設定画面を表示し（Ｓ５０）、右側カーテンの色が入力されると（Ｓ５１）、設定された照明を実際に実現する（Ｓ５２）。一方、左右分割指定されていない場合、利用者が照明の指定をするときは（Ｓ５３）、全体の照明設定画面を表示し（Ｓ５４）、全体の照明が入力されると（Ｓ５５）、設定された照明を実際に実現する（Ｓ５２）。なお、利用者が照明の指定をしないときは（Ｓ５３）、デフォルトで設定されている照明を用いる。
【００９７】
カーテン環境設定処理Ｓ１３および照明環境設定処理Ｓ１５における画面表示の例をそれぞれ図１４および図１５に示す。
【００９８】
このように、写真撮影プリント装置１０または写真撮影プリント装置１０’の制御では、複数の照明装置により発する光の種類を選択するための照明選択入力を受け付けるステップ（Ｓ４９，Ｓ５１）と、この照明選択入力に基づいて複数の照明装置により発する光の種類を設定するステップ（Ｓ５２）とを含むことになる。
【００９９】
また、写真撮影プリント装置１０の制御では、さらに、複数の背景領域の背景を選択するための背景選択入力を受け付けるステップ（Ｓ２９，Ｓ３１）と、この背景選択入力に基づいて、複数の背景領域の背景を設定するステップ（Ｓ３２）とを含むことになる。
【０１００】
これらの制御は、それぞれ制御装置１（コンピュータ）の照明制御部１ｂおよびカーテン制御部１ａで実行される。また、これらの制御方法は、上記制御プログラムとしての写真撮影プリント装置制御プログラムに基づいて制御装置１にて実行されるものである。
【０１０１】
【発明の効果】
以上のように、本発明に係る写真撮影プリント装置は、被写体の背景となる背景面を構成する背景部材と、背景面を照明し、互いに異なる種類の光を発することができる複数の照明装置と、背景部材により構成される背景面上に位置し、各照明装置に対応して背景面を分割し、各照明装置からの光がその照明装置に対応する領域以外の領域に進入するのを遮るための仕切部材とを備える構成である。
【０１０２】
上記の構成では、各領域において背景面を照明する光が異なっていることにより、撮影した画像において領域ごとに顕著に異なった背景を構成することができる。また、上記の構成では、仕切部材を設けている。この仕切部材は、各照明装置からの光がその照明装置に対応する領域以外の領域に進入するのを遮る機能を有しており、これにより別個の照明装置からの光が背景面で重なり合うことを抑制することができる。したがって、境界付近での背景の変化を顕著なものとすることができるようになる。
【０１０３】
このように、上記の構成では、領域ごとに異なる撮影環境を形成することができ、１つの画像でありながら領域ごとに全く異なる印象を与えるとともに、領域の境界での変化を顕著なものとした画像を形成することができるようになる。これにより、写真撮影プリント装置によって意外性をもった画像を形成することができるようになる。
【０１０４】
本発明に係る写真撮影プリント装置は、上記の写真撮影プリント装置において、仕切部材が、位置が可変であることが好ましい。
【０１０５】
上記の構成では、被写体に応じて領域を分割できるようになり、利用者の要望に応じた多様な画像を形成することができるようになる。
【０１０６】
本発明に係る写真撮影プリント装置は、上記の写真撮影プリント装置において、各照明装置が、仕切部材の位置の変更にともなって移動することが好ましい。
【０１０７】
上記の構成では、仕切部材の位置を変更したときにより適した状態でその領域を照明することができるようになる。
【０１０８】
本発明に係る写真撮影プリント装置は、上記の写真撮影プリント装置において、背景部材が互いに異なる背景を形成する分割された複数の背景領域からなり、仕切部材が背景領域の境界に位置していることが好ましい。
【０１０９】
上記の構成では、各背景領域において、その背景面を照明する光に加えて背景面自体も異なっていることにより、撮影した画像において背景領域ごとにより顕著に異なった背景を構成することができる。
【０１１０】
本発明に係る写真撮影プリント装置は、上記の写真撮影プリント装置において、仕切部材および背景領域の境界が、位置が可変であることが望ましい。
【０１１１】
上記の構成では、被写体に応じて背景領域を分割できるようになり、利用者の要望に応じた多様な画像を形成することができるようになる。
【０１１２】
本発明に係る写真撮影プリント装置は、上記の写真撮影プリント装置において、各照明装置が、仕切部材および背景領域の境界の位置の変更にともなって移動することが好ましい。
【０１１３】
上記の構成では、仕切部材および背景領域の境界の位置を変更したときにより適した状態でその領域を照明することができるようになる。
【０１１４】
また、上記写真撮影プリント装置は、複数の照明装置により発する光の種類を選択するための照明選択入力を受け付けるステップと、照明選択入力に基づいて複数の照明装置により発する光の種類を設定するステップとを含む制御方法によって制御することができる。
【０１１５】
あるいは、上記写真撮影プリント装置は、複数の照明装置により発する光の種類を選択するための照明選択入力を受け付けるステップと、複数の背景領域の背景を選択するための背景選択入力を受け付けるステップと、照明選択入力および背景選択入力に基づいて、複数の照明装置により発する光の種類、および複数の背景領域の背景を設定するステップとを含む制御方法によって制御することができる。
【０１１６】
本発明に係る写真撮影プリント装置制御プログラムは、上記制御方法をコンピュータに実行させるものであり、また、本発明に係る記録媒体は、写真撮影プリント装置制御プログラムを記録したものである。
【０１１７】
本発明に係るプリント紙ユニットは、画像が印刷されるプリント紙と、プリント紙に関する識別情報を記録する識別媒体とを備え、上記の写真撮影プリント装置に備えられた識別情報読み取り手段によって、識別媒体に記録されている識別情報が読み取られ、その内容が確認された上でプリント紙に画像が出力されることを特徴としている。これにより、写真撮影プリント装置に適合しないプリント紙ユニットが使用されることを避けることができる。
【図面の簡単な説明】
【図１】本発明に係る写真撮影プリント装置の概略構成を示す図面であり、（ａ）は平面図、（ｂ）は斜視図である。
【図２】背景を変化させることができる写真撮影プリント装置として考え得る一例の概略構成を示す図面であり、（ａ）は平面図、（ｂ）は（ａ）における矢印Ｙ方向に見た正面図である。
【図３】背景を変化させることができる写真撮影プリント装置として考え得る他の例の概略構成を示す図面であり、（ａ）は平面図、（ｂ）は斜視図である。
【図４】図１の写真撮影プリント装置における本体の構成をより詳細に示したブロック図である。
【図５】図１の写真撮影プリント装置におけるカーテン移動装置の具体的構成を示す図であり、（ａ）は正面図、（ｂ）は側面図である。
【図６】照明装置が固定されている場合の照明装置と第１および第２領域との関係を示す概念図であり、（ａ）は第１領域：第２領域＝１：１に分割されている場合を示す図面、（ｂ）は第１領域：第２領域＝１：３に分割されている場合を示す図面である。
【図７】被写体として１人の利用者を撮影したときの画像を説明するための図面である。
【図８】被写体として３人の利用者を撮影したときの画像を説明するための図面である。
【図９】本発明に係る写真撮影プリント装置の一変形例の概略構成を示す図面であり、（ａ）は平面図、（ｂ）は斜視図である。
【図１０】本発明に係る写真撮影プリント装置の全体的な処理の流れを示すフローチャートである。
【図１１】図１０における撮影処理の流れを示すフローチャートである。
【図１２】図１１におけるカーテン環境設定処理の流れを示すフローチャートである。
【図１３】図１１における照明環境設定処理の流れを示すフローチャートである。
【図１４】図１１におけるカーテン環境設定処理の画面表示の例を示す図面である。
【図１５】図１１における照明環境設定処理の画面表示の例を示す図面である。
【符号の説明】
１      制御装置
１ａ    カーテン制御部
１ｂ    照明制御部
２      撮影ユニット
３      入出力ユニット
４      プリントユニット
４ａ    ＩＤタグリーダ／ライタ（識別情報読み取り手段）
４ｂ    プリンタ
４ｃ    プリント紙
４ｄ    ＩＤタグ（識別媒体）
５      記憶装置
６      課金処理部
１０      写真撮影プリント装置
１０’    写真撮影プリント装置
１１      背景装置
１２      本体
２１      カーテン移動装置
２２      被写体照明装置
２３      背景照明装置
３１      カーテン
３２      カーテンレール
【図１】
0004193402.tif 000002
【図２】
0004193402.tif 000003
【図３】
0004193402.tif 000004
【図４】
0004193402.tif 000005
【図５】
0004193402.tif 000006
【図６】
0004193402.tif 000007
【図７】
0004193402.tif 000008
【図８】
0004193402.tif 000009
【図９】
0004193402.tif 000010
【図１０】
0004193402.tif 000011
【図１１】
0004193402.tif 000012
【図１２】
0004193402.tif 000013
【図１３】
0004193402.tif 000014
【図１４】
0004193402.tif 000015
【図１５】
0004193402.tif 000016